(57)【要約】【課題】  家具とスペーサ部材とのネジ固定が不要であり、しかもスペーサ部材の固定作業を楽に且つ素早く行えるものでありながら、地震等によって家具に揺れが生じた場合でも壁に対する固定強度が十分に得られるようにすること。【解決手段】  両側板２，２の内面に取付孔６がそれぞれ形成され、この両側板２，２を天板３と底板４とにより連結すると共に後側に背板５を取り付けて構成される家具１を壁８に固定するにあたって、側板２の取付孔６に圧入される突起部７と、壁８に固定されるネジ孔部９とを有するスペーサ部材１０を用いる。スペーサ部材１０を背板５に形成した切欠部に嵌め込んだ状態で、突起部７を側板２の取付孔６に圧入すると共にネジ孔部９を壁固定ネジ１１により壁８に固定する。【選択図】      図１
2005278698.tif 000002
【特許請求の範囲】
【請求項１】
両側板の内面に取付孔がそれぞれ形成され、この両側板を天板と底板とにより連結すると共に後側に背板を取り付けて構成される家具を壁に固定する構造において、一方の側板の取付孔に圧入される突起部と、壁に固定されるネジ孔部とを有するスペーサ部材を備え、上記スペーサ部材を背板に形成された切欠部に嵌め込んだ状態で、突起部を側板の取付孔に圧入すると共にネジ孔部を壁固定ネジにより壁に固定してなることを特徴とする家具の壁固定構造。
【請求項２】
上記スペーサ部材の外周面に、背板の切欠部と対向する背板縁部が挿入される挿入溝を形成したことを特徴とする請求項１記載の家具の壁固定構造。
【請求項３】
上記両側板、天板及び底板の各内面に設けた背板嵌入溝に背板の外周部が嵌入されると共に、背板嵌入溝と対向するスペーサ部材の外周面に背板嵌入溝に挿入される凸条部を突設させたことを特徴とする請求項１又は請求項２記載の家具の壁固定構造。
【請求項４】
両側板の内面に取付孔がそれぞれ形成され、この両側板を天板と底板とにより連結すると共に後側に背板を取り付けて構成される家具を壁に固定する構造において、壁に固定されるネジ孔部を有するスペーサ本体と、一方の側板の取付孔に圧入される突起部と上記スペーサ本体のネジ孔部と連通するネジ挿入孔とを有する側板アタッチメントとで構成されるセパレート型スペーサ部材を備え、上記スペーサ本体を背板と壁との間に配置し且つ側板アタッチメントを一方の側板の内面に対向配置した状態で、側板アタッチメントの突起部を側板の取付孔に圧入すると共に、壁面固定ネジを側板アタッチメントのネジ挿入孔から背板に形成された切欠部及びスペーサ本体のネジ孔部を通して壁に固定してなることを特徴とする家具の壁固定構造。
【発明の詳細な説明】
【技術分野】
【０００１】
本発明は、家具の壁固定構造に関するものである。
【背景技術】
【０００２】
従来より、左右の両側板を天板と底板とにより連結すると共に後側に背板を取り付けた家具を壁に固定するにあたって、背板に取付金具本体をネジ止めし、取付金具本体を壁にネジ固定する構造が知られている（例えば、特許文献１参照）。
【０００３】
ところが、特許文献１に見られる従来例にあっては、薄い背板を壁に固定しているため、壁に対する家具の固定強度が十分に得られないという問題がある。
【０００４】
また、他の従来例として、例えば図１３に示すように、背板５の背面を枠状の芯材２０で補強し、壁固定ネジ１１を背板５から芯材２０を貫通して壁８のパネル８ａからパネル枠８ｂに打入する構造が知られている。
【０００５】
ところが、図１３に示される従来例では、背板５の背面に芯材２０を貼着するという煩雑な作業が必要となり、コストが高くつき、しかも家具１の寸法毎に芯材２０を貼り付けた背板５を用意しておく必要があるなど、特注品の対応にむかないといった問題がある。
【特許文献１】特開平８−２２８８６６号公報
【発明の開示】
【発明が解決しようとする課題】
【０００６】
本発明は上記の従来の問題点に鑑みて発明したものであって、家具とスペーサ部材とのネジ固定が不要となり、しかもスペーサ部材の固定作業を楽に且つ素早く行えるものでありながら、地震等によって家具に揺れが生じた場合でも壁に対する固定強度が十分に得られる家具の壁固定構造を提供することを課題とするものである。
【課題を解決するための手段】
【０００７】
前記課題を解決するために本発明にあっては、両側板２，２の内面に取付孔６がそれぞれ形成され、この両側板２，２を天板３と底板４とにより連結すると共に後側に背板５を取り付けて構成される家具１を壁８に固定する構造において、一方の側板２の取付孔６に圧入される突起部７と、壁８に固定されるネジ孔部９とを有するスペーサ部材１０を備え、上記スペーサ部材１０を背板５に形成された切欠部１２に嵌め込んだ状態で、突起部７を側板２の取付孔６に圧入すると共にネジ孔部９を壁固定ネジ１１により壁８に固定してなることを特徴としている。
【０００８】
このような構成とすることで、側板２の取付孔６に対して突起部７を圧入により取り付けることができ、家具１とスペーサ部材１０間のネジ固定作業が不要となる。また、スペーサ部材１０は背板５よりも肉厚で強度の高い側板２に取り付けられ且つ壁８に対してネジ固定されるため、スペーサ部材１０の固定作業を楽に且つ素早く行えるものでありながら、地震等によって家具１に揺れが生じた場合でも、家具１の固定強度が十分に得られる。そのうえ従来の背板５の背面に芯材を貼着するという煩雑な作業を省略できると共に、特注品の対応も迅速に行なえるようになる。
【０００９】
また上記スペーサ部材１０の外周面に、背板５の切欠部１２と対向する背板縁部１３が挿入される挿入溝１４を形成するのが好ましく、この場合、スペーサ部材１０を背板５の切欠部１２に嵌め込んだ状態で、切欠部１２と対向する背板縁部１３をスペーサ部材１０の外周面の挿入溝１４に挿入することにより、背板５の切欠部１２がスペーサ部材１０で確実に塞がれて外部から目立たなくなり、そのうえ背板５とスペーサ部材１０との連続した一体感が得られるので、見栄えが良好となる。
【００１０】
また上記両側板２，２、天板３及び底板４の各内面に設けた背板嵌入溝４０に背板５の外周部を嵌入すると共に、背板嵌入溝４０と対向するスペーサ部材１０の外周面に背板嵌入溝４０に挿入される凸条部３５を突設させるのが好ましく、この場合、凸条部３５を背板嵌入溝４０に挿入することによって、スペーサ部材１０の外周面と背板嵌入溝４０との隙間からの光漏れ等を確実に防止できるようになる。
【００１１】
また本発明は、両側板２，２の内面に取付孔６がそれぞれ形成され、この両側板２，２を天板３と底板４とにより連結すると共に後側に背板５を取り付けて構成される家具１を壁８に固定する構造において、壁８に固定されるネジ孔部９を有するスペーサ本体１５と、一方の側板２の取付孔６に圧入される突起部７と上記スペーサ本体１５のネジ孔部９と連通するネジ挿入孔１７とを有する側板アタッチメント１６とで構成されるセパレート型スペーサ部材１０Ｄを備え、上記スペーサ本体１５を背板５と壁８との間に配置し且つ側板アタッチメント１６を一方の側板２の内面に対向配置した状態で、側板アタッチメント１６の突起部７を側板２の取付孔６に圧入すると共に、壁面固定ネジ１１を側板アタッチメント１６のネジ挿入孔１７から背板５に形成された切欠部１２Ｂ及びスペーサ本体１５のネジ孔部９を通して壁８に固定してなることを特徴としている。
【００１２】
このような構成とすることで、側板２の取付孔６に対して側板アタッチメント１６の突起部７を圧入により取り付けることができるので、請求項１と同様、セパレート型スペーサ部材１０Ｄと側板２とのネジ固定が不要になる効果、セパレート型スペーサ部材１０Ｄの固定作業を楽に且つ素早く行えるものでありながら地震対策を万全にして家具１の倒れを防止する効果、従来の背板５を芯材で補強する必要がない効果があり、そのうえ、スペーサ本体１５と側板アタッチメント１６とが分離されているため、家具１に対する固定と壁８に対する固定の作業手順にとらわれることもなくなる。
【発明の効果】
【００１３】
本発明に係る家具の壁面固定構造にあっては、家具とスペーサ部材間のネジ固定作業が不要となり、しかもスペーサ部材の固定作業を楽に且つ素早く行えるものでありながら、地震等によって家具に揺れが生じた場合でも壁に対する固定強度が十分に得られるものである。
【発明を実施するための最良の形態】
【００１４】
以下、本発明を添付図面に示す実施形態に基いて説明する。本実施形態の家具１は、図３に示すように、両側板２，２を天板３と底板４とにより連結すると共に、両側板２，２、天板３及び底板４の各内面に形成された背板嵌入溝４０（図５（ｂ））に背板５の外周部が嵌入されて組み立てられる。なお、背板固定溝４０は必ずしも必要ではなく、背板５をビス固定する構造であってもよい。
【００１５】
上記両側板２，２の内面には、それぞれ、図１（ａ）に示すように、上下複数のダボ孔６が形成されている。ダボ孔６にダボ（図示せず）の一端側を挿入し、ダボの他端側の上に棚板（図示せず）を乗せて支持できるようになっている。
【００１６】
側板２の材質は、例えば合板やパーティクルボード、単板積層材、繊維板などの木質材を基板とした強度の高いものが一般的に用いられている。なお、側板２がパーティクルボードの場合、ダボ孔６の強度が比較的弱くなるため、ダボ孔６内に金属リング等を埋め込んで補強するようにしてもよい。なお背板５は例えば図４に示すように、上下２つの板材５ａ，５ｂに分割して、板材５ａ，５ｂ同士を断面エ字状の連結片５ｃにて互いに連結したものが好ましい。この場合、組み立て式の家具１を小さくでき、梱包性がよくなる。
【００１７】
上記構成の家具１を壁８に固定するスペーサ部材１０は、図２（ａ）に示すように、Ｌ字板部１８の一片に、一方の側板２の取付孔（本例では上下２つのダボ孔６）に圧入される上下２つの突起部７が突設されている。これら２つの突起部７は上下に隣接する２つのダボ孔６に各々対応している。各突起部７の外周面には、それぞれ、楔状のネジ込み部７ａ（図１（ａ））が複数突設されており、これによりダボ孔６との間でガタが生じることなく、且つ、ダボ孔６に対して抜け止め状態で圧入可能とされている。Ｌ字板部１８の他片には、ネジ孔部９を有する厚肉状の壁面固定部１９が突設されており、この壁面固定部１９を背板５の切欠部１２に嵌め込んだ状態で、壁固定ネジ１１をネジ孔部９を通して壁８にネジ固定できるようになっている。なお、壁面固定部１９の厚みＤ（図１（ｂ））は背板５と壁８との隙間に合わせて設定され、これにより、壁面固定部１９を壁８に密着させた状態で強固にネジ止め可能となっている。
【００１８】
また本例のスペーサ部材１０は、図３に示すように、背板５のコーナー部以外の４箇所に嵌め込まれるものであり、背板５には図２（ｂ）に示すように、スペーサ部材１０の壁面固定部１９を嵌め込むための切欠部１２が形成されている。この切欠部１２は例えば、図２（ｂ）に示す湾曲状或いは図２（ｃ）に示す湾曲しないコ字状に切欠形成されている。また、スペーサ部材１０の外周面には、背板５の切欠部１２と対向する背板縁部１３を挿入するための挿入溝１４が形成されている。本例ではＬ字板部１８と壁面固定部１９との境界が挿入溝１４となっている。
【００１９】
上記家具１を固定するにあたっては、先ず、一方の側板２の任意のダボ孔６にスペーサ部材１０の突起部７をハンマー等で叩き込む。次いで両側板２，２と天板３と底板４と背板５とを組み立てて家具１を完成させる。最後に、家具１の内側から壁固定ネジ１１をスペーサ部材１０のネジ孔部９にネジ込んで壁面固定部１９を壁８に固定する。
【００２０】
ここで、側板２の任意のダボ孔６を利用してスペーサ部材１０を側板２に取り付けることができるので、家具１とスペーサ部材１０間のネジ固定作業が不要となる。しかも、スペーサ部材１０は背板５より肉厚で強度の高い側板２に取り付けられ且つ壁８に対してネジ固定されるため、スペーサ部材１０の固定作業を楽に且つ素早く行えるものでありながら、地震等によって家具１に揺れが生じた場合でも十分な固定強度が得られるものである。また従来の背板５に芯材を貼着するという煩雑な作業を省くことができ、これに伴いコストを安くでき、さらに家具１の寸法毎に芯材を貼り付けた背板５を容易しておく必要もなく、特注品の対応も迅速に行なえる。
【００２１】
ところで、従来の図１３（ｃ）のように背板５を芯材２０で補強した場合でも、地震による揺れが生じた場合、背板嵌入溝４０から背板５が外れてしまい、背板５を残して家具１が倒れるおそれがある。これに対して、本発明のスペーサ部材１０は側板２に対して固定されるため、従来のような問題はない。そのうえ、スペーサ部材１０のネジ固定作業は壁８に対して１箇所で済むため、スペーサ部材１０の固定を楽に且つ素早く行うことができ、固定作業が一層はかどるという利点がある。
【００２２】
また本例では図１、図２（ａ）のように、側板２のダボ孔６に突起部７を嵌め込む方向イは、壁８にネジ止めする方向ロに対して直角向きとなっている。つまり、地震等によって家具１に揺れが生じた場合に、壁面固定部１９が壁８から引き離される方向と突起部７がダボ孔６から引き抜かれる方向とは、同一方向ではなく、直角方向となるため、家具１の倒れをより確実に防止できる構造となる。さらに背板５の切欠部６にスペーサ部材１０が隙間なく嵌め込まれているため、地震時に家具１の左右方向（壁面と平行な方向）の揺れが背板５を介してスペーサ部材１０で受け止められることとなり、家具１の左右の揺れも確実に止めることができる。そのうえ、本例では突起部７を上下２つ設けているため、側板２に対するスペーサ部材１０の取り付け強度が倍増すると共に、スペーサ部材１０が側板２に対して回り止めされることで、より強固な固定状態が得られる利点がある。
【００２３】
さらに本例では、スペーサ部材１０の外周面に形成した挿入溝１４に、背板５の切欠部１２と対向する背板縁部１３を挿入しているので、背板５の切欠部１２がスペーサ部材１０で隙間なく塞がれ、前方から見て背板５とスペーサ部材１０との連続した一体感が得られ、見栄えが良くなるという利点もある。
【００２４】
前記スペーサ部材１０は家具１の側板２の任意の位置に取り付け可能であり、図１、図２の実施形態ではコーナー部以外に取り付ける場合を説明したが、例えば図５（ａ）（ｂ）、図６のように、コーナー部に取り付けるコーナー用スペーサ部材１０Ａとすることも可能である。このコーナー用スペーサ部材１０Ａでは、Ｌ字板部１８と壁面固定部１９とが正面から見てほぼ同じ外形寸法をしており、壁面固定部１９の大きさに合わせてコーナー切欠部１２Ａが切欠形成されている。このコーナー切欠部１２Ａの入隅部は図５（ｂ）のような直角形状であってもよいが、図５（ｃ）のように湾曲形状であってもよい。
【００２５】
ここで、前記図２（ａ）のスペーサ部材１０の背板嵌入溝４０との対向面をフラット面とし、図５（ａ）のコーナー用スペーサ部材１０Ａの背板嵌入溝４０，４１（図１０（ｂ））との対向面をそれぞれフラット面としているが、背板嵌入溝４０からの光漏れを防止することを目的として、図７（ａ）のスペーサ部材１０から背板嵌入溝４０に挿入される凸条部３５を突設させたり、或いは図７（ｂ）のコーナー用スペーサ部材１０Ａから背板嵌入溝４０，４１の双方に挿入される凸条部３５ａ，３５ｂを突設させるようにしてもよい。さらに他例として図９に示すように、凸条部３５ａ，３５ｂをコーナー用スペーサ部材１０Ａとは別体で構成し、着脱可能に取り付けるようにしてもよい。
【００２６】
また、前記実施形態では、２つのダボ孔６に圧入される上下２つの突起部７を設けたスペーサ部材１０（１０Ａ）を例示したが、突起部７の数は２つに限らず、例えば図８、図９に示すように、１つであってもよい。
【００２７】
また、前記実施形態では、スペーサ部材１０（コーナー用スペーサ部材１０Ａも同様）をＬ字板部１８と壁面固定部１９とを一体化した１パーツ型のものを例示したが、セパレート型スペーサ部材１０Ｄとすることも可能である。その一例を図１１、図１２に示す。本例では、コーナー用としてのセパレート型スペーサ部材１０Ｄを例示するが、もちろんコーナー用に限られるものではない。本例のセパレート型スペーサ部材１０Ｄは、壁８に固定されるネジ孔部９を有するスペーサ本体１５と、一方の側板２のダボ孔６に圧入される突起部７と上記スペーサ本体１５のネジ孔部９と連通するネジ挿入孔１７とを有する側板アタッチメント１６とに分離されている。また本例ではスペーサ本体１５の厚みＤ（図１１（ｂ））は、背板５と壁８との隙間に合わせて設定され、これにより、スペーサ本体１５を背板５と壁８の双方に密着させた状態で強固にネジ止め可能となっている。またスペーサ本体１５の中央から前方に向ってネジ孔部９を有する筒部３２が突出しており、その筒部３２の先端に爪状の係止部３０が設けられている。一方、側板アタッチメント１６のネジ挿入孔１７の内部にはスペーサ本体１５の係止部３０が係止される凹溝状の被係止部３１が形成されている。また背板５には、壁固定ネジ１１を挿通可能とし且つスペーサ本体１５の係止部３０と側板アタッチメント１６の被係止部３１とを係止可能とする切欠部１２Ｂが形成されている。
【００２８】
しかして、側板アタッチメント１６を一方の側板２の内面に対向配置した状態で、側板アタッチメント１６の突起部７を側板２の任意のダボ孔６に圧入することができる。一方、スペーサ本体１５を背板５と壁８との間に配置した状態で、背板５の切欠部１２Ａの背後からスペーサ本体１５の係止部３０を側板アタッチメント１６のネジ孔部９に押し込んで、係止部３０を被係止部３１に対して係止させることにより、側板アタッチメント１６に対してスペーサ本体１５を仮保持でき、この状態で、壁面固定ネジ１１を側板アタッチメント１６のネジ挿入孔１７からスペーサ本体１５のネジ孔部９を通して壁８に固定することにより、前記図１、図２の実施形態と同様、側板アタッチメント１６と家具１とのネジ固定が不要になる効果、地震対策を万全にできる効果、従来の背板５を芯材で補強する必要がない効果、セパレート型スペーサ部材１０Ｄのネジ固定作業を楽に且つ素早く行える効果が得られる。そのうえ本例ではスペーサ本体１５と側板アタッチメント１６とが分離されているため、家具１に対する固定と壁８に対する固定の作業手順にとらわれることがなく、作業が一層はかどるという利点があり、また背板５の切欠部１２Ｂはスペーサ本体１５の係止部３０が挿通できる程度の小さな孔で済むため、背板５の穴明け作業が簡単になる利点もある。
【００２９】
前記各実施形態では、ダボ孔６をスペーサ部材１０の取付孔として利用した場合を説明したが、必ずしもこれに限らず、スペーサ部材１０を取り付けるための専用の取付孔をダボ孔とは別に形成してもよいものである。
【図面の簡単な説明】
【００３０】
【図１】本発明の一実施形態を示し、（ａ）は側板のダボ孔にスペーサ部材の突起部を取り付けた状態の正面図、（ｂ）は壁にスペーサ部材の壁面固定部をネジ固定した状態の側面図である。
【図２】（ａ）は同上のスペーサ部材の斜視図、（ｂ）は背板の切欠部の斜視図、（ｃ）は背板の切欠部の他例の斜視図である。
【図３】同上のスペーサ部材が取り付けられた家具を背面からみた斜視図である。
【図４】（ａ）は同上の背板を上下に２分割して連結する場合の分解図、（ｂ）は背板の連結状態の斜視図である。
【図５】他の実施形態であり、（ａ）はコーナー用スペーサ部材の斜視図、（ｂ）はコーナー用スペーサ部材の取り付け状態を説明する分解斜視図、（ｃ）は切欠部の他例の説明図である。
【図６】図５のコーナー用スペーサ部材が取り付けられた家具を背面からみた斜視図である。
【図７】（ａ）（ｂ）は更に他の実施形態であり、光り漏れ防止用の凸条部をスペーサ部材に一体形成した場合の説明図である。
【図８】（ａ）（ｂ）は更に他の実施形態であり、１つの突起部を備えたスペーサ部材に凸条部を一体形成した場合の説明図である。
【図９】（ａ）（ｂ）は更に他の実施形態であり、１つの突起部を備えたスペーサ部材に凸条部を着脱可能に取り付ける場合の説明図である。
【図１０】更に他の実施形態であり、セパレート型スペーサ部材の取り付け状態を説明する分解斜視図である。
【図１１】（ａ）は図１０のセパレート型スペーサ部材の取り付け状態の斜視図、（ｂ）はセパレート型スペーサ部材を構成する側板アタッチメントとスペーサ本体の配置状態の説明図である。
【図１２】図１０の背板の背後から見たセパレート型スペーサ部材の取り付け状態の説明図である。
【図１３】従来例を示し、（ａ）は家具を前方から見た斜視図、（ｂ）は背板側から見た斜視図、（ｃ）は背板を芯材を介して壁にネジ固定した状態の側面断面図である。
【符号の説明】
【００３１】
１  家具
２  側板
３  天板
４  底板
５  背板
６  取付孔
７  突起部
８  壁
９  ネジ孔部
１０  スペーサ部材
１０Ａ  セパレート型スペーサ部材
１１  壁面固定ネジ
１２  切欠部
１３  背板縁部
１４  挿入溝
１５  スペーサ本体
１６  側板アタッチメント
１７  ネジ挿通孔
３０  係止部
３１  被係止部
３５  凸条部
【図１】
2005278698.tif 000003
【図２】
2005278698.tif 000004
【図３】
2005278698.tif 000005
【図４】
2005278698.tif 000006
【図５】
2005278698.tif 000007
【図６】
2005278698.tif 000008
【図７】
2005278698.tif 000009
【図８】
2005278698.tif 000010
【図９】
2005278698.tif 000011
【図１０】
2005278698.tif 000012
【図１１】
2005278698.tif 000013
【図１２】
2005278698.tif 000014
【図１３】
2005278698.tif 000015